(57)【特許請求の範囲】
【請求項１】
対象物に付着している付着物を前記対象物から除去する付着物除去具において、
筐体の一面に植設された複数列のブラシ毛と、
該ブラシ毛の各列間の領域に設けられた空気の吸込口と、
該吸込口から筐体内部に空気を吸い込むためのファンと、
該ファンによって吸い込まれた空気が通過するフィルタと、
前記筐体に設けられ、イオンを発生させて筐体外部へ放出するイオン発生部と
を備え、
前記イオン発生部は、前記ブラシ毛が植設された領域を囲むように配置され、発生させたイオンを、前記ブラシ毛が設けられた筐体の一面に対して交差する方向に放出するようにしてあることを特徴とする付着物除去具。
【請求項２】
前記イオン発生部が発生させるイオンは、Ｈ+ （Ｈ2 Ｏ）ｍ（ｍは自然数）で表される正イオンと、Ｏ2-（Ｈ2 Ｏ）ｎ（ｎは自然数）で表される負イオンとを含むことを特徴とする請求項１に記載の付着物除去具。
【請求項３】
前記イオン発生部は、発生させたイオンを筐体外部へ放出する状態と、筐体内部へ放出する状態との切り替えが可能に構成されていることを特徴とする請求項１又は２に記載の付着物除去具。
【請求項４】
前記イオン発生部は、発生させたイオンを放出する放出面と、該放出面が筐体外部を向く状態と筐体内部を向く状態とを、回転することによって切り替えられる回転軸とを有することを特徴とする請求項３に記載の付着物除去具。
【請求項５】
前記吸込口を塞ぐ蓋部を備えることを特徴とする請求項１から４までのいずれかひとつに記載の付着物除去具。
【発明の詳細な説明】
【技術分野】
【０００１】
本発明は、衣類、布団等に付着している粉塵、塵埃等の付着物を除去する付着物除去具に関する。
【背景技術】
【０００２】
従来、衣類、布団、カーテン、ソファー、車両内の座席等に付着した花粉、カビ胞子、ハウスダスト等のアレルゲン物質を含む粉塵、塵埃等の付着物を除去する場合、手、ブラシ、ハタキ等で叩き落としたり、掃除機で吸い取る等の方法が採られていた。
【０００３】
しかし、手やブラシ等で叩くだけでは、付着物が周囲に飛び散るだけであり、叩き落とされた付着物が再度衣類等に付着したり、床に落ちた付着物が舞い上がったりする。このような付着物にアレルゲン物質が含まれる場合、アレルギー疾患を有する患者にとっては、辛い空気環境となってしまう。
【０００４】
また、掃除機は、衣類等に対して直接使用するにはサイズが大きいので取り扱いが不便であり、衣類等に付着した付着物を効率的に吸い取ることは非常に困難である。また、衣類を床に置いた状態で掃除機を用いるという方法もあるが、掃除機の吸引部は一般的に床や畳等の硬質な材質の物に適用するために形成されているので、衣類の生地を傷めたり、衣類そのものが掃除機内に吸い込まれて取れなくなる等、様々な不具合が発生する虞がある。
【０００５】
そこで、操作し易いように小型化され、人の体や衣服に付着した花粉等の付着物を容易に除去できる装置が提案されている（例えば、特許文献１，２）。特許文献１，２に開示された装置は、衣服等に付着している付着物をブラシで叩いて剥がした後、吸引して捕集するので、叩き落とした付着物が周囲に飛び散ったり、衣服等に再度付着したりせずに確実に除去できる。
【先行技術文献】
【特許文献】
【０００６】
【特許文献１】特開２００２−１５９８１５号公報
【特許文献２】実用新案登録第３１２９６３６号公報
【発明の概要】
【発明が解決しようとする課題】
【０００７】
しかしながら、付着物は静電気を帯びた状態で衣類等に付着している場合が多いので、特許文献１，２に開示された装置のようにブラシで叩くだけでは効率よく衣類等から付着物を除去することは困難である。
【０００８】
また、特許文献１，２に開示されたような装置は、吸引した付着物をフィルタによって捕集するので、フィルタが付着物によって目詰まりした場合に、フィルタを掃除するか、新しいフィルタに取り替える必要がある。このような構成の装置では、フィルタの掃除又は取り替え作業の過程で、付着物がフィルタからこぼれ落ちたり、周囲に飛び散ったりする虞がある。もし、フィルタに捕集された付着物がアレルゲン物質を含むものであり、使用者が花粉症等のアレルギー疾患を持つ人であった場合、フィルタの掃除又は取り替え作業が原因でアレルギー症状を引き起こしてしまう可能性がある。
【０００９】
また、特許文献１，２に開示された装置では、ファンが発生させる気流によって付着物がフィルタに捕集されるので、ファンが停止している状態では、捕集された付着物がフィルタから容易にこぼれ落ちてしまう。更に、特許文献１，２に開示された装置は小型の装置であるので、使用者が少しの振動を発生させた場合であっても、装置にとっては大きな振動となり、捕集された付着物がフィルタからよりこぼれ落ち易くなる。このような状況では、フィルタが目詰まりするまでもなく、フィルタに少しでも付着物が捕集されていれば、花粉症等のアレルギー疾患を持つ使用者が装置を使用することによってアレルギー症状を引き起こしてしまう可能性もある。
【００１０】
本発明は斯かる事情に鑑みてなされたものであり、その目的とするところは、対象物（衣類、布団、カーテン、ソファー、車両内の座席等）に付着している付着物（花粉、カビ胞子、ハウスダスト等のアレルゲン物質を含む粉塵、塵埃等）を効率的に除去することが可能な付着物除去具を提供することにある。
【課題を解決するための手段】
【００１１】
本発明に係る付着物除去具は、対象物に付着している付着物を前記対象物から除去する付着物除去具において、筐体の一面に植設された複数列のブラシ毛と、該ブラシ毛の各列間の領域に設けられた空気の吸込口と、該吸込口から筐体内部に空気を吸い込むためのファンと、該ファンによって吸い込まれた空気が通過するフィルタと、前記筐体に設けられ、イオンを発生させて筐体外部へ放出するイオン発生部とを備え、前記イオン発生部は、前記ブラシ毛が植設された領域を囲むように配置され、発生させたイオンを、前記ブラシ毛が設けられた筐体の一面に対して交差する方向に放出するようにしてあることを特徴とする。
【００１２】
本発明によれば、筐体の一面に複数列に亘って植設されたブラシ毛が、対象物に付着している付着物を叩いて剥離させる。また、ブラシ毛の各列間の領域に空気の吸込口が設けられており、ファンが発生させる気流によって、剥離された付着物が空気と共に筐体内部に吸い込まれる。また、筐体内部に吸い込まれた空気がフィルタを通過することにより、空気と共に吸い込まれた付着物（空気中の粉塵）がフィルタによって除去される。更に、筐体の外部方向へイオンを放出するイオン発生部が設けられており、付着物が静電気によって対象物に付着している場合であっても、付着物の静電気がイオンの働きによって除去されるので、付着物を効率よく除去できる。また、イオン発生部が、ブラシ毛が植設された領域を囲むように配置してあり、ブラシ毛が設けられた一面に対して交差する方向にイオンを放出するので、ブラシ毛によって対象物から付着物を剥離させる際に、対象物及び付着物に対して効率よくイオンを照射できる。よって、付着物の静電気を効率よく除去できると共に、付着物に含まれるアレルゲン物質を効率よく不活性化させることができる。
【００１３】
本発明に係る付着物除去具は、前記イオン発生部が発生させるイオンは、Ｈ+ （Ｈ2 Ｏ）ｍ（ｍは自然数）で表される正イオンと、Ｏ2-（Ｈ2 Ｏ）ｎ（ｎは自然数）で表される負イオンとを含むことを特徴とする。
【００１４】
本発明によれば、Ｈ+ （Ｈ2 Ｏ）ｍ（ｍは自然数）で表される正イオンと、Ｏ2-（Ｈ2 Ｏ）ｎ（ｎは自然数）で表される負イオンとを発生させる。Ｈ+ （Ｈ2 Ｏ）ｍ（ｍは自然数）及びＯ2-（Ｈ2 Ｏ）ｎ（ｎは自然数）の組成を有する正負イオンには、特開２００６−２１８３２９号公報に示されるように、アレルゲン物質を不活性化する効能がある。よって、対象物から付着物を剥離する際に、付着物の静電気を除去することによって効率よく剥離できると共に、付着物に含まれるアレルゲン物質を不活性化することによりアレルゲン物質により誘発されるアレルギー反応を抑制できる。また、フィルタに捕集された付着物にアレルゲン物質が残存する場合であっても、フィルタに捕集された状態のアレルゲン物質の不活性化が可能となる。
【００１７】
本発明に係る付着物除去具は、前記イオン発生部は、発生させたイオンを筐体外部へ放出する状態と、筐体内部へ放出する状態との切り替えが可能に構成されていることを特徴とする。
【００１８】
本発明によれば、イオンを筐体外部へ放出する状態と、筐体内部へ放出する状態との切り替えが可能である。イオンを筐体内部へ放出できることにより、イオンをフィルタに効率よく照射することができ、フィルタに捕集された付着物に含まれるアレルゲン物質を効率よく不活性化できる。よって、フィルタに捕集された付着物が再び筐体外部へ漏れ出るような状況が生じた場合であっても、アレルゲン物質によるアレルギー症状の発生を防止できる。
【００１９】
本発明に係る付着物除去具は、前記イオン発生部は、発生させたイオンを放出する放出面と、該放出面が筐体外部を向く状態と筐体内部を向く状態とを、回転することによって切り替えられる回転軸とを有することを特徴とする。
【００２０】
本発明によれば、回転軸を回転させることによって、イオンを放出する放出面が筐体外部を向く状態と筐体内部を向く状態とを切り替えることができる。よって、イオンの放出方向を容易に切り替えることができる。
【００２１】
本発明に係る付着物除去具は、前記吸込口を塞ぐ蓋部を備えることを特徴とする。
【００２２】
本発明によれば、空気の吸込口に蓋部が設けてあるので、蓋部によって吸込口を塞ぐことにより、フィルタに捕集された付着物がフィルタからこぼれ落ちた場合であっても、筐体外部へ漏れ出ることを防止できる。また、吸込口を塞ぐことにより、フィルタに照射されたイオンが筐体外部へ漏れるのを防止できるので、フィルタに捕集されたアレルゲン物質をより確実に不活性化させることができる。
【発明の効果】
【００２３】
本発明では、対象物に付着している付着物を効率的に除去できる。また、付着物に含まれるアレルゲン物質を効率よく不活性化させることができるので、フィルタに捕集された付着物が再び空気中に漏れ出るような状況が生じた場合であっても、アレルゲン物質によるアレルギー症状の発生を抑制できる。
【図面の簡単な説明】
【００２４】
【図１】実施形態１の付着物除去具の縦断面図である。
【図２】実施形態１の付着物除去具のブラシ毛側から見た模式図である。
【図３】イオン発生部の縦断面図である。
【図４】イオン発生部の放出面側から見た模式図である。
【図５】付着物除去具の掃除方法を示す図である。
【図６】実施形態２の付着物除去具のブラシ毛側から見た模式図である。
【図７】実施形態３の付着物除去具のブラシ毛側から見た模式図である。
【発明を実施するための形態】
【００２５】
以下に、本発明に係る付着物除去具を、その実施形態を示す図面に基づいて詳述する。
【００２６】
（実施形態１）
以下に、実施形態１の付着物除去具について説明する。図１は実施形態１の付着物除去具の縦断面図、図２は実施形態１の付着物除去具のブラシ毛側から見た模式図、図３はイオン発生部の縦断面図、図４はイオン発生部の放出面側から見た模式図である。
【００２７】
本実施形態１の付着物除去具１は、略矩形の平面部を有する筐体１０を有する。筐体１０は中空に構成されている。筐体１０の平面部中央には、ブラシ毛１１が複数列に亘って植設されている。また、ブラシ毛１１は、各列において、所定量のブラシ毛を１つの束とし、各束間で所定間隔を保って植設されている。ブラシ毛１１は、繊維状の獣毛、植物毛、樹脂毛等であるが、繊維状の毛に限定されず、例えば、針金のような金属毛を用いても良い。
【００２８】
また、筐体１０の平面部には、ブラシ毛１１の各列間の領域に、空気を吸い込むための複数の吸込口１２が設けられている。本実施形態１の吸込口１２は、図２における左右方向に長いスリット状であるが、例えば上下方向に長いスリット状でもよい。また、吸込口１２は、スリット状ではなく、ブラシ毛１１の各束間の領域に複数の小孔がマトリクス状に設けられていてもよい。
【００２９】
更に、筐体１０の平面部には、ブラシ毛１１が植設されている領域を取り囲むように、複数のイオン発生部１３が配設されている。図２では、６つのイオン発生部１３が設けられているが、十分な量のイオンが発生できる構成であれば、イオン発生部１３の数は６つに限らない。
【００３０】
イオン発生部１３のそれぞれは、所謂空気イオン（大気イオン）を発生させる。また、イオン発生部１３のそれぞれは、発生させた空気イオンを放出する放出面を有しており、それぞれの放出面が筐体１０の外部方向を向いた状態で筐体１０に取り付けられている。その結果、イオン発生部１３は、発生させた空気イオンを、筐体１０の外部方向へ、より具体的には、筐体１０の平面部に対して交差（直交）する方向へ放出できる。
【００３１】
イオン発生部１３が発生させる空気イオンは、Ｈ+ （Ｈ2 Ｏ）ｍ（ｍは任意の自然数）及びＯ2-（Ｈ2 Ｏ）ｎ（ｎは任意の自然数）の組成を有する正負イオンである。即ち、イオン発生部１３は、正イオンとして、水素イオン（Ｈ+ ）の周囲に複数の水分子が付随したクラスターイオンを発生させ、負イオンとして、酸素イオン（Ｏ2-）の周囲に複数の水分子が付随したクラスターイオンを発生させる。なお、このような組成を有する正負イオンは、アレルゲン物質に作用してアレルゲン物質を不活性化させることができる。これにより、アレルゲン物質より誘発されるアレルギー反応を抑制できる。
【００３２】
イオン発生部１３は、図３及び図４に示すように針電極１３ａ及び対向電極１３ｂを有する放電素子を使用している。イオン発生部１３は、略直方体状に形成された筐体１３０の一側面に、図４に示すように、略円形の２つの開口部が長手方向に並べて形成されている。そして、イオン発生電極としての針電極１３ａ，１３ａが、それぞれの先端を開口部の中央に位置するように設けられている。また、針電極１３ａ，１３ａの先端を取り囲むように、筐体１３０に形成された開口部のそれぞれに沿って筐体１３０の内部側に対向電極１３ｂ，１３ｂが設けられている。
【００３３】
このような構成のイオン発生部１３において、電圧回路部１３ｃによって、一方の針電極１３ａに正極の高電圧が印加され、他方の針電極１３ａに負極の高電圧が印加される。また、対向電極１３ｂ，１３ｂには、それぞれ対応する針電極１３ａ，１３ａに印加される電圧の極性と反対（逆）の極性の電圧が印加される。針電極１３ａ，１３ａ及び対向電極１３ｂ，１３ｂにそれぞれ高電圧が印加されると、針電極１３ａ，１３ａの先端部に電圧が集中し、針電極１３ａ，１３ａと対向電極１３ｂ，１３ｂとの間でプラズマ放電が発生する。これにより、針電極１３ａ，１３ａの周囲の空気が針電極１３ａ，１３ａの極性にイオン化され、空気中の酸素及び水蒸気が電離してイオンが発生する。また、対向電極１３ｂ，１３ｂには、針電極１３ａ，１３ａと反対の極性の電圧が印加されているので、針電極１３ａ，１３ａの周囲のイオン化された空気を外部環境に引き出すことができる。
【００３４】
具体的には、正極の電圧が印加された針電極１３ａが設けられた開口部からは正イオンが放出され、負極の電圧が印加された針電極１３ａが設けられた開口部からは負イオンが放出される。イオン発生部１３が、正イオン及び負イオンの両極性のイオンを同時に略同等量発生させた場合、両イオンがカビ菌、ウィルス、アレルゲン物質等の表面に付着して化学反応を起こし、活性物質としての過酸化水素（Ｈ2 Ｏ2 ）又は水酸基ラジカル（ＯＨ）を生成する。過酸化水素又は水酸基ラジカルは、カビ菌、ウィルス、アレルゲン物質の表面のたんぱく質から水素を抜き取る酸化反応を行なうので、殺菌、ウィルス及びアレルゲン物質を不活性化又は死滅させることができる。
【００３５】
付着物除去具１の筐体１０の内部には、ファン１４が配置されており、ファン１４は、ファンモータ（図示せず）により駆動される。ファン１４は、例えばプロペラファンであればよい。また、筐体１０には、吸込口１２と対向する箇所に空気の吹出口１５が形成されている。このような構成により、ファン１４の駆動に従って、空気が吸込口１２から吸い込まれ、筐体１０内部を通って吹出口１５から吹き出される。なお、吹出口１５は、吸込口１２と同様にスリット状に設けられていてもよいし、複数の小孔がマトリクス状に設けられていてもよい。
【００３６】
筐体１０の内部には、吸込口１２に面してフィルタ１６が収納されている。フィルタ１６は、吸込口１２から吸い込まれた空気中の塵埃を除去するフィルタであり、付着物除去具１に対して着脱可能に構成されている。筐体１０は、例えば、平面部が取り外し可能に構成されており、平面部を取り外すことによってフィルタ１６を筐体１０から取り外せるように構成されている。
【００３７】
また、筐体１０には取っ手部２０が取り付けてある。使用者は手で取っ手部２０を持って付着物除去具１を使用できるので、付着物除去具１の取り扱いが容易である。取っ手部２０は中空に構成されており、その内部には、電源部２１と、イオン発生部１３に高周波電圧を供給する電圧回路部１３ｃとが収納されている。
【００３８】
付着物除去具１には、例えば取っ手部２０に、動作の開始／終了を指示するための電源スイッチ（図示せず）が設けられており、電源スイッチがオンされた場合、電源部２１がファンモータ及び電圧回路部１３ｃへの電力供給を開始する。電源スイッチがオンされて付着物除去具１が動作を開始した場合、ファンモータがファン１４の駆動を開始すると共に、イオン発生部１３が動作を開始する。
【００３９】
このような動作状態の付着物除去具１によって衣類等をブラッシングした場合、ブラシ毛１１が衣類等の表面に接する際の物理的な作用によって、衣類等の表面に付着している埃や塵といった塵埃が叩き落とされる。叩き落とされた塵埃は、空気と共に吸込口１２から筐体１０内部に吸い込まれ、塵埃のみフィルタ１６に捕集され、塵埃が除去された空気は、吹出口１５から吹き出される。これにより、叩き落とされた塵埃は確実にフィルタ１６に捕集されるので、周囲に飛び散る虞がない。
【００４０】
また、本実施形態１の付着物除去具１では、イオン発生部１３が発生させた空気イオンが衣類等の対象物に向けて放出される。よって、対象物（衣類等）に付着している塵埃が静電気を帯びている場合であっても、空気イオンによって静電気が除去されるので、塵埃を対象物から効率よく除去できる。また、塵埃にカビ胞子や花粉等のアレルゲン物質が含まれる場合であっても、アレルゲン物質が不活性化されるので、アレルギー症状の発生を抑制できる。
【００４１】
また、イオン発生部１３の開口部が付着物除去具１の筐体１０の外部方向に向くように設けられていることにより、イオン発生部１３が発生させた空気イオンが、筐体１０の平面部に対して直交する方向（筐体１０の外部方向）へ放出される。よって、ブラシ毛１１が衣類等と接する箇所におけるイオン濃度が高くなることから、静電気の除去及びアレルゲン物質の不活性化を効率よく行なうことができる。更に、空気イオンによって、塵埃に含まれるアレルゲン物質を不活性化させるので、ファン１４を停止させた後に、万が一、フィルタ１６に捕集された塵埃が付着物除去具１外部へ漏れ出た場合であっても、アレルギー症状の発生を抑制できる。
【００４２】
なお、本実施形態１の付着物除去具１は、電源スイッチがオフされた場合、電源部２１がファンモータ及び電圧回路部１３ｃへの電力供給を終了し、動作を終了する。電源スイッチは、例えば、スライドさせることによってオン又はオフするように構成されていてもよく、１回の押下によってオンされ、再度の押下によってオフされるように構成されていてもよい。
【００４３】
上述した構成の付着物除去具１によって、室外に干していた衣類（洗濯物）を取り込んだ後にブラッシングした場合、干していた間に衣類に付着したカビ胞子、花粉等のアレルゲン物質を含む塵埃を効率的に除去できる。また、外出先から帰宅した後に付着物除去具１によって衣類をブラッシングした場合には、外出中に衣類に付着したアレルゲン物質を含む塵埃を効率的に除去でき、アレルゲン物質が屋内に入ることを防止できる。
【００４４】
図５は付着物除去具１の掃除方法を示す図である。図５に示すように、付着物除去具１の取っ手部２０には紐３１が取り付けてある。なお、紐３１は、取っ手部２０ではなく、筐体１０に取り付けられていてもよい。付着物除去具１は、使用後に、電源スイッチをオンしたまま、即ち、ファン１４及びイオン発生部１３を駆動させた状態で、壁や天井などに設けられた掛止部３０に紐３１を掛止させて一定時間吊るしておく。このとき、イオン発生部１３が発生させた空気イオンがファン１４によって筐体１０内部に吸い込まれ、フィルタ１６に衝突し、フィルタ１６に付着している塵埃に作用する。具体的には、正負イオンがフィルタ１６に付着している塵埃に含まれるアレルゲン物質の表面に構成されているアレルギー反応を誘発させるタンパク質に損傷を与え、アレルゲン物質を不活性化させる。
【００４５】
このように、付着物除去具１の使用後にフィルタ１６に付着しているアレルゲン物質を不活性化させておくことにより、衣類から塵埃を剥離する際に不活性化されなかったアレルゲン物質を確実に不活性化させることができる。よって、電源スイッチをオフした後に、フィルタ１６に捕集されている塵埃がこぼれ落ちた場合、フィルタ１６を掃除又は取り替える場合であっても、こぼれ落ちた塵埃によるアレルギー症状の発生を防止できる。
【００４６】
（実施形態２）
以下に、実施形態２の付着物除去具１について説明する。なお、本実施形態２の付着物除去具１は、上述した実施形態１の付着物除去具１の構成と類似しており、同一の構成については同一の符号を付して説明を省略する。また、同一の構成に基づく作用効果も実施形態１と同様であるため説明を省略する。
【００４７】
図６は実施形態２の付着物除去具１のブラシ毛１１側から見た模式図である。本実施形態２の付着物除去具１では、イオン発生部１３のそれぞれが、発生させた空気イオンを付着物除去具１の筐体１０外部側へ放出する状態と、筐体１０内部側へ放出する状態との切り替えが可能に構成されている。その他の構成については上述した実施形態１と同様である。
【００４８】
具体的には、イオン発生部１３は、筐体１３０の長手方向両端部に同軸状に突出する軸１３ｄを有する。イオン発生部１３は、軸１３ｄを介して付着物除去具１の筐体１０に取り付けられており、付着物除去具１の筐体１０に対して軸（回転軸）１３ｄを中心に回転できる。イオン発生部１３は、少なくとも１８０°の回転が可能に構成されており、軸１３ｄを中心に回転させることにより、空気イオンの放出面が付着物除去具１の筐体１０外側を向く状態と、付着物除去具１の筐体１０内側を向く状態とを切り替えられる。なお、イオン発生部１３は、軸１３ｄを中心に３６０°の回転が可能に構成されてもよい。
【００４９】
上述した構成により、本実施形態２の付着物除去具１では、発生させた空気イオンを、筐体１０の外部へ放出するか、内部へ放出するかの切り替えが可能となる。付着物除去具１によって衣類等をブラッシングする際には、空気イオンの放出方向を筐体１０の外部方向としておくことにより、上述した実施形態１と同様の作用及び効果が得られる。
【００５０】
また、付着物除去具１の使用後に空気イオンの放出方向を筐体１０の内部方向としておくことにより、イオン発生部１３が発生させた空気イオンをより確実にフィルタ１６に衝突させることができる。なお、このとき、筐体１０の平面部とイオン発生部１３との間に不要な隙間が発生しないので、フィルタ１６へ放出される空気イオンが筐体１０外部へ漏れにくい。よって、効果的にフィルタ１６に空気イオンを照射することができ、フィルタ１６に付着しているアレルゲン物質をより効率的に不活性化させることができる。これにより、フィルタ１６に捕集された塵埃が再び空気中に漏れ出るような状況が生じた場合であっても、アレルギー症状の発生をより確実に抑制できる。
【００５１】
本実施形態２の付着物除去具１は、使用者が手動で軸１３ｄを中心にイオン発生部１３を回転させることによって空気イオンの放出方向（放出面）を切り替える構成であるので、使用者が適宜、且つ手軽に放出方向を切り替えることができる。
このような構成のほかに、例えば、イオン発生部１３を付着物除去具１から取り外して空気イオンの放出面（２つの開口部が形成された側面）の向きを切り替えるように構成してもよい。具体的には、イオン発生部１３を、空気イオンの放出面が付着物除去具１の筐体１０外側を向いた状態と、付着物除去具１の筐体１０内側を向いた状態との両方で筐体１０に取り付けられるように構成する。この場合、使用者が必要に応じて、付着物除去具１の筐体１０からイオン発生部１３を取り外し、空気イオンの放出方向を確認して筐体１０に再度取り付けることによって、空気イオンの放出方向を容易に切り替えることができる。
【００５２】
本実施形態２の付着物除去具１は、電源スイッチがオンされた場合に、ファン１４及びイオン発生部１３が共に駆動する構成であるが、イオン発生部１３のみを駆動させる機能を更に備えてもよい。フィルタ１６は吸込口１２の近傍に配置されているので、ファン１４を駆動させることなく、空気イオンの放出方向を筐体１０の内部方向とすることによって、空気イオンをフィルタ１６に照射させることができる。よって、付着物除去具１の使用後に空気イオンの放出方向を筐体１０の内部方向とし、イオン発生部１３のみを駆動させておくことにより、空気イオンをフィルタ１６に効率よく衝突させることができる。この場合にも、フィルタ１６に捕集されている塵埃に含まれるアレルゲン物質を不活性化させることができるので、フィルタ１６に捕集された塵埃が再び空気中に漏れ出るような状況が生じた場合であっても、アレルギー症状の発生を抑制できる。
【００５３】
（実施形態３）
以下に、実施形態３の付着物除去具１について説明する。なお、本実施形態３の付着物除去具１は、上述した実施形態２の付着物除去具１の構成と類似しており、同一の構成については同一の符号を付して説明を省略する。また、同一の構成に基づく作用効果も実施形態１，２と同様であるため説明を省略する。
【００５４】
図７は実施形態３の付着物除去具１のブラシ毛１１側から見た模式図である。本実施形態３の付着物除去具１では、吸込口１２に開閉可能な蓋部４０が設けられている。その他の構成については上述した実施形態２と同様である。
【００５５】
具体的には、付着物除去具１の筐体１０内部の吸込口１２とフィルタ１６との間に、矩形の板状に形成された蓋部４０が配置されている。蓋部４０には、吸込口１２と同様又は一回り大きいサイズのスリットが吸込口１２と同数形成されており、各スリットの一端側の端辺に適宜サイズの凸部４０ａが設けられている。
【００５６】
一方、付着物除去具１の筐体１０には、取っ手部２０が取り付けられた箇所に対向する箇所に、蓋部４０の凸部４０ａに対応した大きさの貫通孔が設けられている。具体的には、後述するように蓋部４０はスライド可能に構成されており、蓋部４０のスライドに伴って移動する凸部４０ａの移動距離程度の長さの貫通孔が設けられている。また、貫通孔の幅は、蓋部４０の幅と同様又は一回り大きい幅とすればよい。
【００５７】
このような構成の蓋部４０は、筐体１０の貫通孔に凸部４０ａを貫通させた状態で筐体１０内部に取り付けられている。また、蓋部４０は、使用者が凸部４０ａを手で持って、図７中の矢符で示す方向にスライドできるように筐体１０に取り付けられている。図６は吸込口１２が開放されている状態を、図７は吸込口１２が蓋部４０によって塞がれている状態をそれぞれ示している。蓋部４０のスリットが吸込口１２と重なる位置に配置されるように蓋部４０をスライドさせた場合、図６に示すように、吸込口１２が開放される。また、蓋部４０のスリットが吸込口１２と重ならない位置に配置されるように蓋部４０をスライドさせた場合、図７に示すように、吸込口１２が蓋部４０によって塞がれる。
【００５８】
上述した構成により、本実施形態３の付着物除去具１では、空気イオンの放出方向を筐体１０の内部方向に切り替えると共に吸込口１２を蓋部４０によって閉じた場合には、空気イオンが筐体１０外部へ漏れることを確実に防止できる。よって、イオン発生部１３が発生させた空気イオンをより効率的にフィルタ１６に衝突させることができ、フィルタ１６に付着しているアレルゲン物質をより確実に不活性化させることができる。
【００５９】
本実施形態３の付着物除去具１も、イオン発生部１３のみを駆動させる機能を更に備えてもよい。本実施形態３の付着物除去具１の場合、イオン発生部１３が発生させた空気イオンを筐体１０内部へ放出する際に蓋部４０によって吸込口１２を閉じておけるので、空気イオンは筐体１０内部に留まることができる。よって、ファン１４を駆動させることなく、空気イオンをフィルタ１６に効率よく照射させることができる。
【００６０】
本実施形態３の付着物除去具１は、上述した実施形態２の付着物除去具１の変形例として説明したが、上述した実施形態１の付着物除去具１の変形例として構成してもよい。具体的には、付着物除去具１を、空気イオンの放出方向の切り替えはできないが、吸込口１２の蓋部４０の開閉は可能に構成してもよい。この場合、付着物除去具１の使用後に吸込口１２の蓋部４０を閉じておくことにより、フィルタ１６に捕集された塵埃が付着物除去具１の筐体１０の外部へ漏れ出るような状況を確実に防止できる。
【００６１】
以上、本発明の好適な実施形態についてそれぞれ具体的に説明したが、各構成及び動作などは適宜変更可能であって、上述の実施形態に限定されることはない。
【符号の説明】
【００６２】
１  付着物除去具
１０  筐体
１１  ブラシ毛
１２  吸込口
１３  イオン発生部
１４  ファン
４０  蓋部
１３ｄ  軸（回転軸）
【図１】
0005815331.tif 000002
【図２】
0005815331.tif 000003
【図３】
0005815331.tif 000004
【図４】
0005815331.tif 000005
【図５】
0005815331.tif 000006
【図６】
0005815331.tif 000007
【図７】
0005815331.tif 000008